(57)【要約】【課題】  水舟内の湿し水に浮遊する紙粉や塵埃等の浮遊物を取り除き、もって印刷品質の向上を図る。【解決手段】  連通管３０の一端部には取水部３７が設けられ、他端部には取水部材４０が着脱自在に嵌合固定されている。連通管３０は取水部材４０を介して水舟１０の排出管１０ａに着脱自在に取り付けられている。取水部材４０は水元ローラ２１の軸線を挟んで水元ローラ２１の前側の水３Ａに設けられ、取水部３７は水元ローラ２１の後側の水３Ｂに設けられている。水３Ａは取水部材４０の取水口４３から取水され排出管１１から排出され、水３Ｂは取水部３７の取水口３９から取水され、連通管３０を介して排出管１１から排出される。したがって、水舟１０の湿し水全体の水面に浮遊する浮遊物は取水された水といっしょに排出管１１から排出される。【選択図】  図４
2006043981.tif 000002
【特許請求の範囲】
【請求項１】
湿し水を貯留する水舟と、この水舟内の湿し水に周面が浸漬し回転することにより湿し水を引き上げて版胴へ湿し水を供給する水元ローラと、前記水舟内の湿し水の水面から取水する取水部材と、この取水部材によって取水された湿し水を前記水舟の外部に排出する排出管と、前記水舟に湿し水を供給する湿し水供給手段とを備えた印刷機の給水装置において、
前記取水部材を前記水元ローラの軸線を挟んで水元ローラの前後のそれぞれに設けたことを特徴とする印刷機の給水装置。
【請求項２】
請求項１記載の印刷機の給水装置において、
前記２つの取水部材間を連通する連通管を設け、前記排水管を１つとしたことを特徴とする印刷機の給水装置。
【請求項３】
請求項２記載の印刷機の給水装置において、
前記２つの取水部材のうち少なくともいずれか一方を連通管に着脱自在に取り付けるとともに、前記連通管を前記排水管に前記取水部材を介して着脱自在に取り付けたことを特徴とする印刷機の給水装置。
【発明の詳細な説明】
【技術分野】
【０００１】
本発明は、水舟内の湿し水に周面を浸漬させて回転することにより湿し水を引き上げ版胴に供給する水元ローラを備えた印刷機の給水装置に関するものである。
【背景技術】
【０００２】
この種の印刷機の給水装置においては、水舟内の湿し水の水面に紙粉や塵埃等の浮遊物が浮遊していると、この浮遊物が湿し水とともに水元ローラによって引き上げられてしまい、引き上げられた浮遊物が版胴の版面に送られることがある。そして、このような浮遊物がゴム胴を介して印刷物の印刷面に付着してしまうと印刷品質が低下する。これを解決するために、水舟内の湿し水を一定量に保つオーバーフロー管を利用して湿し水の水面上の浮遊物を取り除くことを可能にしたものがある。すなわち、従来の印刷機の給水装置は、水舟の底面に水舟内へ開口する排出管が一体に形成されており、この排出管に水密に嵌合されたオーバーフロー管の上端を湿し水の水面に臨ませ、このオーバーフロー管から湿し水をオーバーフローさせて排出させる際に、湿し水の水面上の浮遊物もいっしょに排出することを可能にしたものである（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】実開昭６２−２５５４１号公報（７頁１〜１１行、第１図）
【発明の開示】
【発明が解決しようとする課題】
【０００３】
上述した従来の印刷機の給水装置においては、オーバーフロー管が水舟の長手方向に延在するように設けられた水元ローラの軸線を挟んで一方側にのみ設けられた構造であるため、他方側の浮遊物を一方側に設けられたオーバーフロー管から排出するには、水元ローラの端軸が設けられた狭い領域を通過させる必要があった。このため、他方側の浮遊物の流れが悪く、他方側の大部分の浮遊物が他方側の湿し水に残ったままの状態となるため、残った浮遊物が水元ローラによって引き上げられてしまう。また、１つのオーバーフロー管から一方側の浮遊物と他方側の浮遊物を同時に排出するため、浮遊物の排出が遅れるから、浮遊物がオーバーフロー管によって取り除かれる前に水元ローラによって引き上げられてしまうことがあるので、印刷品質を充分に向上させるまでには至らないという問題があった。
【０００４】
本発明は上記した従来の問題に鑑みなされたものであり、その目的とするところは、水舟内の全体の湿し水の浮遊物を取り除き、もって印刷品質を向上させることにある。
【課題を解決するための手段】
【０００５】
この目的を達成するために、請求項１に係る発明は、湿し水を貯留する水舟と、この水舟内の湿し水に周面が浸漬し回転することにより湿し水を引き上げて版胴へ湿し水を供給する水元ローラと、前記水舟内の湿し水の水面から取水する取水部材と、この取水部材によって取水された湿し水を前記水舟の外部に排出する排出管と、前記水舟に湿し水を供給する湿し水供給手段とを備えた印刷機の給水装置において、前記取水部材を前記水元ローラの軸線を挟んで水元ローラの前後のそれぞれに設けたものである。
【０００６】
請求項２に係る発明は、請求項１に係る発明において、前記２つの取水部材間を連通する連通管を設け、前記排水管を１つとしたものである。
【０００７】
請求項３に係る発明は、請求項２に係る発明において、前記２つの取水部材のうち少なくともいずれか一方を連通管に着脱自在に取り付けるとともに、前記連通管を前記排水管に前記取水部材を介して着脱自在に取り付けたものである。
【発明の効果】
【０００８】
請求項１に係る発明によれば、水舟内の湿し水全体に浮遊する浮遊物を取り除くことができるため、浮遊物が水元ローラによって引き上げられるようなことがなく印刷品質が向上する。
【０００９】
請求項２に係る発明によれば、連通管を設けたことにより排水管を一つにすることができるため、既存の水舟を利用することができるので経済的に構成できる。
【００１０】
請求項３に係る発明によれば、連通管の取付け、取り外しの際に水元ローラ等が障害にならないため、連通管の水舟内への取付け、取り外しが容易にできるようになり保守性および組立性を向上させることができる。
【発明を実施するための最良の形態】
【００１１】
以下、本発明の実施の形態を図に基づいて説明する。図１は本発明に係る印刷機の給水装置の全体の構成図、図２は同じく印刷機の給水装置の側面図、図３は同じく水舟の平面図、図４は図３におけるIV-IV 線断面図、図５は同じく連通管を示し、同図（Ａ）は平面図、同図（Ｂ）は同図（Ａ）におけるV（Ｂ）-V（Ｂ） 線断面図、同図（Ｃ）は同図（Ｂ）におけるV（Ｃ）-V（Ｃ） 線断面図、同図（Ｄ）は同図（Ｂ）における V（Ｄ）-V（Ｄ）線断面図、図６は同じく取水部材を示し、同図（Ａ）は側断面図、同図（Ｂ）は平面図である。
【００１２】
図１において、全体を符号１で示す印刷機には４つの印刷ユニット２Ａないし２Ｄが備えられている。この印刷機１には、印刷用の湿し水３（以下、単に水３という）を貯水するタンク４が備えられている。５はタンク４内に貯水されている水３を冷却するクーラー、６はタンク４内の水３を給水管７を介して４本の配水管８Ａないし８Ｄに給水するためのポンプである。
【００１３】
これら４本の配水管８Ａないし８Ｄへの水３の供給量は、バルブ９Ａないし９Ｄの開閉量によって個々に調整され、４本の配水管８Ａないし８Ｄを介して各印刷ユニット２Ａないし２Ｄに備えられたそれぞれの水舟１０に供給される。これら水舟１０には、水舟１０内の水３の貯水量を一定に保つ排水管１１が設けられており、一定量以上の水３はこの排水管１１を介して、フィルタ１２を通して予備のタンク１３に一時的に貯水される。
【００１４】
この予備のタンク１３に貯水された水３は、前記予備のタンク１３内の水３の貯水量が増加したことを検知して、ポンプ１４を作動させ、復水管１５を介してタンク４内に送水し、予備のタンク１３内の水３を一定量に維持させる。これら給水管７、配水管８Ａないし８Ｄ、排水管１１および復水管１５によって水３の循環経路が形成されている。
【００１５】
図２に全体を符号２０で示す給水装置は、樋状に形成された上記水舟１０を備えており、この水舟１０内には水３が蓄えられている。２１は水舟１０内の水３に周面下部が浸漬された水元ローラであって、図示を省略したモータによって図に矢印Ａで示す方向に回転することによって、水３を表面に付着させて引き上げるものである。
【００１６】
水元ローラ２１と版胴２５との間には、図に符号Ｂ，Ｃ，Ｄで示す方向にそれぞれ回転する調量ローラ２２、移しローラ２３、水着ローラ２４が互いに周面を対接させて配設されている。水元ローラ２１で引き上げられた水３は、これら各ローラ２２，２３，２４間で転移する間に調量され各方向へ均一にならされたのち版胴２５の版面へ供給される。
【００１７】
ここで、水舟１０は水元ローラ２１の軸線方向に延在するように設けられており、水元ローラ２１によって水舟１０内に蓄積された水３は両端部分を除き２つの領域に区分されている。すなわち、水舟１０内に貯えられた水３は、水元ローラ２１の軸線Ｌを挟んで、図４に示すように水元ローラ２１の回転方向に対して水元ローラ２１の前後に概ね区分されており、以下、水舟１０内に蓄積された水３のうち、水元ローラ２１の回転方向の上流側に位置する水を前側の水３Ａといい、水元ローラ２１の回転方向の下流側に位置する水を後側の水３Ｂという。
【００１８】
水舟１０の底面であって前側の水３Ａが位置する一隅には、図４に示すように、水舟１０内へ開口する垂直円筒状の排出管１０ａが一体に突出形成されており、この排出管１０ａに上記した排出管１１が水密に嵌合固定されている。また、この排出管１０ａと後述する取水部材４０とのはめあいはすきまばめであって、取水部材４０の径Ｒ２よりも排出管１０ａの内径Ｒ３がわずかに大きく形成され、取水部材４０が排出管１０ａに着脱自在に嵌合固定される。
【００１９】
次に、図５および図６を用いて、本発明の特徴である連通管および取水部材について説明する。図５において、３０は連通管であって、中央部に設けられ細長い角筒状に形成された本体３１と、この本体３１の一端側に設けられた取水部材取付部３２と、本体３１の他端側に設けられた取水部材形成部３３とによって一体に形成されている。本体３１には左右方向に延在する中空状の連通路３１ａが設けられ、取水部材保持部３２には、連通路３１ａの延在方向と直交する方向に貫通形成された嵌合孔３２ａが設けられており、この嵌合孔３２ａと連通路３１ａとは連通孔３４を介して連通されている。
【００２０】
取水部材形成部３３には、連通孔３５を介して連通路３１ａに連通し上方が開口した凹部３６が設けられており、上部には円筒状に形成された取水部３７が嵌合孔３２ａと互いの軸線が平行となるように一体に立設されている。この取水部３７の中空部３８は凹部３６と連通しており、中空部３８の上端開口が水３を取水する取水口３９を形成し、この取水口３９は、中空部３８、凹部３６、連通孔３５、連通路３１ａおよび連通孔３４を介して嵌合孔３２ａに連通している。
【００２１】
図６において、４０は円筒状に形成された取水部材であって、上部に高さＴ１に形成された鍔部４１が一体に設けられており、中空部４２の上端開口が水３を取水する取水口４３を形成し、周部の一部には中空部４２に連通する連通孔４４が設けられている。この取水部材４０の取水口４３の口径Ｒ１は、取水部３７の取水口３９の口径Ｒ１と同一に形成され、鍔部４１の高さＴ１は、取水部３７の高さＴ１と同一の寸法に形成されている。
【００２２】
また、取水部材４０と取水部材取付部３２の嵌合孔３２ａとのはめあいはすきまばめであって、取水部材４０の径Ｒ２よりも嵌合孔３２ａの径Ｒ３がわずかに大きく形成され、取水部材４０は連通管３０の嵌合孔３２ａに着脱自在に嵌合固定される。また、取水部材４０の高さＴ２は嵌合孔３２ａの高さＴ３よりもやや高く形成されている。
【００２３】
このような構成において、取水部材４０は連通管３０の嵌合孔３２ａに互いの連通孔４４，３４が連通するように嵌合固定される。嵌合固定された取水部材４０の下端部は嵌合孔３２ａから露呈し、この露呈した部位は図４に示すように、水舟１０の排出管１０ａに着脱自在に嵌合固定される。このとき、図３に示すように、連通管３０が水元ローラ２１の軸線Ｌと直交するように水元ローラ２１の端軸２１ａの下方において水舟１０に取り付けられ、取水部材４０が水３Ａ側に位置付けられるとともに、連通管３０の取水部３７が水３Ｂ側に位置付けられる。
【００２４】
このように構成されていることにより、水元ローラ２１の前側の水３Ａは、取水部材４０の取水口４３から取水され排出管１１に排出され、水元ローラ２１の後側の水３Ｂは、取水部３７の取水口３９から取水され、連通管３０を介して排出管１１に排出される。したがって、水元ローラ２１の前後の水３Ａ，３Ｂ、すなわち水舟１０内の水３全体の水面に浮遊するゴミ等の浮遊物も、両取水口３９，４３から取水された水とともに排出管１１に排出されて取り除かれる。このため、紙粉や塵埃等の浮遊物が水元ローラ２１によって引き上げられるようなことがないから、浮遊物が印刷物の印刷面に付着するようなことがなくなり印刷品質を低下させるようなことがなくなる。
【００２５】
また、連通管３０を設けたことにより、水舟１０の底面に取水部３７用の排水管を設ける必要がなくなるから排出管１０ａを１つのままとすることができる。このため、既存の水舟を利用することができるようになり経済的に作ることができる。また、連通管３０の連通路３１ａ等に紙粉や塵埃等が滞留して清掃する必要が生じた場合には、取水部材４０を排出管１０ａから取り外すことにより、連通管３０を排出管１０ａから取り外し、さらに取水部材４０を連通管３０の嵌合孔３２ａから取り外す。このように、取水部材４０を連通管３０から取り外しできるようにしたことにより、連通管３０の取水部材４０を取り外した側の取水部材取付部３２側を水元ローラ２１や水元ローラ２１の端軸２１ａと接触させることなくこれらの下方を通過させることができるようになる。したがって、連通管３０の取付け、取り外しの際に水元ローラ２１や端軸２１ａが障害にならないため、連通管３０の水舟１０内への取付け、取り外しが容易にできるようになり保守性および組立性を向上させることができる。
【００２６】
なお、本実施の形態においては、排水管１０ａを一つとしたが、取水部材４０と連通管３０の取水部３７のそれぞれに対応して、水元ローラ２１の前後に２つ設けてもよい。また、取水部材４０を連通管３０の嵌合孔３２ａと排水管１０ａとに着脱自在としたが、取水部材４０を連通管３０の嵌合孔３２ａのみに着脱自在とし、取水部３６側を排水管１０ａに着脱自在に取り付けるようにしてもよい。
【図面の簡単な説明】
【００２７】
【図１】本発明に係る印刷機の給水装置の全体の構成図である。
【図２】本発明に係る印刷機の給水装置の側面図である。
【図３】本発明に係る印刷機の給水装置の水舟の平面図である。
【図４】図３におけるIV-IV 線断面図である。
【図５】本発明に係る印刷機の給水装置の連通管を示し、同図（Ａ）は平面図、同図（Ｂ）は同図（Ａ）におけるV（Ｂ）-V（Ｂ） 線断面図、同図（Ｃ）は同図（Ｂ）におけるV（Ｃ）-V（Ｃ） 線断面図、同図（Ｄ）は同図（Ｂ）における V（Ｄ）-V（Ｄ）線断面図である。
【図６】本発明に係る印刷機の給水装置の取水部材を示し、同図（Ａ）は側断面図、同図（Ｂ）は平面図である。
【符号の説明】
【００２８】
１…印刷機、３…湿し水、３Ａ…水元ローラの前側の湿し水、３Ｂ…水元ローラの後側の湿し水、４…タンク、１０…水舟、１０ａ…排出管、２０…給水装置、２１…水元ローラ、２５…版胴、３０…連通管、３２ａ…嵌合孔、３７…取水部、３９，４３…取水口、４０…取水部材、４１…鍔部。
【図１】
2006043981.tif 000003
【図２】
2006043981.tif 000004
【図３】
2006043981.tif 000005
【図４】
2006043981.tif 000006
【図５】
2006043981.tif 000007
【図６】
2006043981.tif 000008